(57)【要約】【課題】原稿の厚みが少ない場合であっても原稿先端の通過を検知し原稿の読み取りを精度良く行なうことができる原稿読取装置およびこれを備えた画像形成装置を提供する。【解決手段】画像読取部１１０はイメージセンサ１１１、搬送ローラ１１２、制御部６０を備える。イメージセンサ１１１は原稿が搬送される搬送経路Ｑの読取領域ＲＺに照射光を照射する照射部１１１Ａ、読取領域ＲＺからの反射光を受光する受光部１１１Ｂを有する。イメージセンサ１１１は受光部１１１Ｂが受光した反射光を画像データとして読み取る。搬送ローラ１１２は周面に窪み１１２Ａが設けられ原稿を搬送する。制御部６０は画像データの窪み１１２Ａに形成される搬送ローラ１１２周面の影ＳＨによる所定周期の明暗の変化を監視し所定周期の明暗の変化が途絶するタイミングで原稿先端が読取領域ＲＺに到達していると判断し画像データを画像形成用の画像データとして記憶する。【選択図】図５
2010050671.tif 000002
【特許請求の範囲】
【請求項１】
原稿が搬送される搬送路に設けられた読取領域に照射光を照射する照射部と、前記読取領域からの反射光を受光する受光部と、を有し、前記受光部が受光した前記反射光を画像データとして読み取る読取手段と、
その周面に窪みが設けられ前記読取手段との間に原稿を挟み込んで搬送する搬送ローラと、
前記読取手段を制御する制御部と、
を備え、
前記制御部は、前記読取手段が読み取った画像データにおける前記窪みに形成される前記搬送ローラ周面の影による所定周期の明暗の変化を監視し、前記所定周期の明暗の変化が途絶するタイミングで原稿先端が前記読取領域に到達していると判断して前記読取手段が読み取った画像データを原稿の画像データとして記憶する第１処理を実行する、
原稿読取装置。
【請求項２】
前記読取手段が読み取った画像データを予め設定された時間だけ少なくとも記憶する記憶部をさらに備え、
前記制御部は、前記第１処理において前記記憶部から前記予め設定された時間分の画像データを読み出して原稿の画像データとしてさらに記憶する、
請求項１に記載の原稿読取装置。
【請求項３】
前記搬送ローラには、前記窪みが周方向に一定の間隔で複数設けられている、
請求項１または２に記載の原稿読取装置。
【請求項４】
前記搬送ローラは、前記窪みと軸方向の位置が異なる位置に溝がさらに形成され、
前記制御部は、前記第１処理が実行されていない場合には、前記溝に形成される前記搬送ローラ周面の影を前記受光部が受光するタイミングを基準にして前記読取手段が読み取った画像データを原稿の画像データとして記憶する第２処理を実行する、
請求項１から３のいずれか１項に記載の原稿読取装置。
【請求項５】
前記溝は前記窪みに隣接して形成されている、
請求項４に記載の原稿読取装置。
【請求項６】
前記溝は軸方向に隣接して複数列設けられた前記窪みから成る、
請求項４または５に記載の原稿読取装置。
【請求項７】
前記窪みと同軸上で前記窪みが形成されていない周部は、径方向に原稿の搬送性を向上させるように突き出している、
請求項１から６のいずれか１項に記載の原稿読取装置。
【請求項８】
前記搬送ローラは、第１嵌合部を軸端に有する第１ローラと、第２嵌合部を軸端に有する第２ローラと、前記第１嵌合部と前記第２嵌合部とを軸方向に接合するジョイント部とから成る、
請求項１から７のいずれか１項に記載の原稿読取装置。
【請求項９】
前記搬送ローラは、その周面が白色を呈しており、
前記制御部は、前記第１処理および前記第２処理が実行されていない場合において、前記読取手段が読み取った画像データの明度が所定の閾値よりも低下するタイミングを基準にして前記読取手段が読み取った画像データを原稿の画像データとして記憶する第３処理を実行する、
請求項１から８のいずれか１項に記載の原稿読取装置。
【請求項１０】
請求項１から９のいずれか１項に記載の原稿読取装置と、
前記原稿読取装置で読み取られた原稿の画像データに基づいて用紙に画像形成処理を行なう画像形成部と、
を備えている画像形成装置。
【発明の詳細な説明】
【技術分野】
【０００１】
この発明は、原稿を読み取る原稿読取装置およびこれを備えた画像形成装置に関する。
【背景技術】
【０００２】
一般に、ファクシミリ装置等の画像形成装置では、原稿を読み取る原稿読取装置を備えている。原稿読取装置は、読取領域に光を照射する照射部と、読取領域の画像を読み取る受光部とを有する読取手段と、読取領域を挟んで読取手段と対向配置された搬送ローラとを備えている。原稿読取装置は、搬送ローラによって原稿を読取領域へ搬送し、読取手段に原稿の読み取りを行なわせる。
【０００３】
原稿読取装置では、原稿先端が読取領域を通過する際に、照射部の照射する照射光が原稿先端に遮られて影が生じ、読取手段が読み取った画像データに影が黒線として含まれるという問題があった。
【０００４】
このため、従来の原稿読取装置の中には、読取領域を挟んで読取手段と対向配置された搬送ローラの周方向に沿って溝を設け、原稿の先端が通過する際に溝に生じる影を検知して原稿先端の到達タイミングを検知する。そして、原稿先端の到達タイミングを基準にして原稿の読み取りを行って画像データに影が黒線として含まれるのを防止するものもある（例えば、特許文献１参照。）。
【特許文献１】特開２００１−７７９８６号公報
【発明の開示】
【発明が解決しようとする課題】
【０００５】
上記特許文献１に示す原稿読取装置では、原稿が薄い場合には、読取領域に照射される光の一部が原稿を透過し上記搬送ローラの周方向に沿って設けられた溝に照射される。このため、原稿の先端が通過する際に溝に写り込む影が薄く明暗の変化が少ないので、精度良く原稿先端の通過を検知することができないという問題があった。
【０００６】
そこで、本発明は、原稿が薄い場合であっても原稿先端の通過を検知し原稿の読み取りを精度良く行なうことができる原稿読取装置およびこれを備えた画像形成装置を提供することを目的とする。
【課題を解決するための手段】
【０００７】
この発明の原稿読取装置は、読取手段、搬送ローラ、制御部を備えている。読取手段は、原稿が搬送される搬送路に設けられた読取領域に照射光を照射する照射部と、読取領域からの反射光を受光する受光部と、を有している。読取手段は、受光部が受光した反射光を画像データとして読み取る。搬送ローラは、その周面に窪みが設けられ読取手段との間に原稿を挟み込んで搬送する。制御部は、読取手段を制御する。制御部は、読取手段が読み取った画像データにおける窪みに形成される搬送ローラ周面の影による所定周期の明暗の変化を監視する。制御部は、所定周期の明暗の変化が途絶するタイミングで原稿先端が読取領域に到達していると判断して読取手段が読み取った画像データを原稿の画像データとして記憶する第１処理を実行する。
【０００８】
この構成では、影によって生成される画像データの所定周期の明暗の変化を監視し、所定周期の明暗の変化が途絶するタイミングで原稿先端が読取領域に到達したと判断して受光部が読み取った画像データを原稿の画像データとして記憶させることができる。
【０００９】
なお、読取手段が読み取った画像データを予め設定された時間だけ少なくとも記憶する記憶部をさらに備え、制御部は第１処理において記憶部から予め設定された時間分の画像データを読み出して原稿の画像データとしてさらに記憶するものとすることが好ましい。ここで、予め設定された時間とは、周期的に画像データに影が写り込んで画像データが暗くなる間の明るい時間の長さ以下の時間である。このため、原稿先端が所定周期の明暗の変化が途絶するタイミングよりも早く読取領域を通過していても、予め設定された時間だけ遡ったタイミングから原稿の画像データとして画像データを記憶することができる。これにより、原稿先端部分を途切れることなく読み取ることができる。
【発明の効果】
【００１０】
この発明によれば、原稿が薄い場合であっても、原稿先端の通過を検知し原稿の読み取りを精度良く行なうことができる。
【発明を実施するための最良の形態】
【００１１】
図１は、この発明の一実施形態に係るファクシミリ装置（画像形成装置）１００の斜視図である。図２は、ファクシミリ装置１００の開蓋時の側面断面図である。
【００１２】
ファクシミリ装置１００は、画像読取部（原稿読取装置）１１０、原稿搬送路１２０、画像形成部１３０、用紙搬送路１４０、筐体１０を備えている。画像読取部１１０は、原稿の画像を読み取る。原稿搬送路１２０は、画像読取部１１０に原稿を搬送する。用紙搬送路１４０は、画像形成部１３０に画像を搬送する。
【００１３】
用紙トレイ３は、ファクシミリ装置１００の最背面側上面のＹ方向における両端部に設けられた基端部１０Ｄに、図１に示す閉位置と図２に示す開位置との間で揺動自在に支持されている。図１に示すように、閉位置に位置するときには、用紙トレイ３は開口部１０２の蓋部材として使用される。一方、図２に示すように、開位置に位置するときには、用紙トレイ３は用紙をセットする方向に沿って中央部に設けられた伸縮可動部４を上方へ伸ばした状態で保持される。
【００１４】
筐体１０は、操作パネル１０Ｐ、用紙トレイ３、前面パネル１０Ｆ等によって形成され、画像読取部１１０、原稿搬送路１２０、画像形成部１３０、用紙搬送路１４０を格納している。
【００１５】
操作パネル１０Ｐは、各種の操作入力を受け付ける操作部１０Ａが設けられ、前面側上面を被覆するパネルである。前面パネル１０Ｆは、操作パネル１０Ｐの前面側端部を下方に折り曲げて延設されている。前面パネル１０Ｆの下部には、原稿排出口１２２が幅方向（Ｙ方向）を長手方向として設けられている。
【００１６】
用紙搬送路１４０は、略Ｕ字形に形成されており、用紙トレイ３の基端部１０Ｄ側近傍に用紙挿入口１４０Ｉが位置しており、開口部１０２の中央部に用紙排紙口１４０Ｅが位置している。用紙挿入口１４０Ｉの近傍には、給紙ローラ１４３及び分離パッド１４４が配置されている。用紙トレイ３にセットされた複数枚の用紙は、給紙ローラ１４３と分離パッド１４４との間で１枚ずつに分離され、給紙ローラ１４３側の用紙から順に給紙ローラ１４３の回転によって画像形成部１３０へ向けて繰り出される。画像形成部１３０を通過した用紙は、用紙排紙口１４０Ｅへ搬送される。
【００１７】
画像形成部１３０は、用紙搬送路１４０の湾曲部に配置されており、サーマルヘッド１３１及びプラテンローラ１３２を有している。給紙ローラ１４３に繰り出された用紙は、サーマルヘッド１３１とプラテンローラ１３２との間を通過する時に、サーマルヘッド１３１の加熱によって昇華したインクリボン１３５のインクによって画像が形成される。
【００１８】
原稿搬送路１２０は、開口部１０２内の前面パネル１０Ｆ側に設けられた原稿挿入口１２０Ｉから搬送経路Ｑに沿って画像読取部１１０を経由し原稿排出口１２２へ向かう搬送路である。
【００１９】
原稿搬送路１２０には、原稿搬送ローラ１２３、分離ゴム板１２４、画像読取部１１０が配置されている。原稿搬送ローラ１２３は、原稿挿入口１２０Ｉから挿入された原稿を画像読取部１１０へ向かって繰り出す。分離ゴム板１２４は、原稿搬送ローラ１２３の周面に近接配置されており、原稿を原稿搬送ローラ１２３との間に挟み込んで原稿を摺接する。原稿搬送ローラ１２３と分離ゴム板１２４との間に挟み込まれた原稿は、原稿搬送ローラ１２３側の原稿から順に１枚ずつ画像読取部１１０へ繰り出される。
【００２０】
画像読取部１１０は、イメージセンサ（読取手段）１１１と、搬送ローラ１１２と、を備えている。画像読取部１１０は、原稿搬送ローラ１２３から繰り出される原稿を搬送ローラ１１２とイメージセンサ１１１との間に挟み込みながらイメージセンサ１１１で読み取って原稿排出口１２２へ排出する。
【００２１】
図３は、搬送ローラ１１２の詳細な構成を示す図である。図４（Ａ）は、Ａ−Ａ断面における搬送ローラ１１２の断面を示す図である。図４（Ｂ）は、Ｂ−Ｂ断面における搬送ローラ１１２の断面を示す図である。図５は、Ａ−Ａ断面における画像読取部１１０の構成および制御部６０の構成を示す図である。
【００２２】
搬送ローラ１１２は、その表面が全て白色を呈しシリコンゴムから成るローラである。搬送ローラ１１２は中央に窪み１１２Ａが周方向に沿って等間隔に８つ設けられており、隣接する窪み１１２Ａの間の周部には突出部１１２Ｂが設けられている。搬送ローラ１１２は、窪み１１２Ａと軸方向の両隣の周部に溝１１２Ｈが設けられている。各突出部１１２Ｂの径方向先端はわずかに搬送ローラ１１２の他の周面よりも突き出している。これにより、原稿をイメージセンサ１１１との間で狭持する狭持力を増加させることができ搬送力を向上させることができる。
【００２３】
なお、本実施形態では、突出部１１２Ｂの径方向の先端が搬送ローラ１１２の周面よりもわずかに突き出している例を挙げて説明していが、充分な原稿搬送力を搬送ローラ１１２が備えている場合には、突出部１１２Ｂの径方向の先端を搬送ローラ１１２周面から突き出させる必要はない。
【００２４】
本実施形態では、搬送ローラ１１２における同軸上の周部に各突出部１１２Ｂが設けられている例を挙げて説明している。しかし、本発明は、これに限定されるものではない。例えば、周方向に隣接する各突出部１１２Ｂの軸方向の位置をずらし、且つ、周方向に隣接する各突出部１１２Ｂが周方向に一定の間隔を挟んで搬送ローラ１１２に設けられるものとしても良い。この場合にも各突出部１１２Ｂの周方向の間隔を一定間隔とすることができるので、本実施形態に係る搬送ローラ１１２と同様の効果を得ることができる。
【００２５】
本実施形態では、搬送ローラ１１２はシリコンゴムから成るローラである例を挙げて説明しているが、例えば、シリコンゴム以外の弾性部材から成るローラを搬送ローラ１１２の代わりに用いるものとしても良い。
【００２６】
イメージセンサ１１１は、Ｙ方向を長手方向とする箱状のユニットであり、照射部１１１Ａと、受光部１１１Ｂと、を備えている。イメージセンサ１１１の搬送ローラ１１２と対向する面は透明なガラスから成り、長手方向に沿って読取領域ＲＺが設けられている。イメージセンサ１１１は読取領域ＲＺを通過する原稿を読み取る。ここで、搬送ローラ１１２は、その周面がイメージセンサ１１１に最も近接する位置が読取領域ＲＺよりもわずかに下流側、すなわち前面パネル１０Ｆ側となる位置に配置されている。これにより、原稿読取が完了し、原稿後端がイメージセンサ１１１と搬送ローラ１１２との間で狭持された状態で搬送ローラ１１２の回転を停止しても原稿後端が読取領域ＲＺに写り込むのを防止することができる。
【００２７】
照射部１１１Ａは、読取領域ＲＺより斜め下後方に配置されており、読取領域ＲＺに予め設定された傾斜角で照射光を照射する。受光部１１１Ｂは、読取領域ＲＺの直下方に配置されており、照射部１１１Ａが照射した照射光の反射光を受光するＣＩＳ（Contact  Image  Sensor）である。なお、本実施形態では、受光部１１１ＢはＣＩＳを用いる例を挙げて説明しているが、例えば、ＣＣＤを用いても良い。
【００２８】
制御部６０は、画像読取部１１０の原稿読取処理および画像形成部１３０の画像形成処理を制御する。制御部６０は、搬送ローラ１１２、原稿搬送ローラ１２３、給紙ローラ１４３、プラテンローラ１３２の回転駆動を制御する。
【００２９】
制御部６０は、画像読取部１１０が読み取った原稿の画像データを記憶するとともに、原稿の画像データに基づいて画像形成部１３０を制御して用紙に画像形成処理を実行させる。
【００３０】
制御部６０は、画像読取部１１０が読み取った画像データを一定時間だけ記憶する記憶部６０Ａを備えている。
【００３１】
制御部６０は、画像読取部１１０が読み取った画像データを監視し、原稿先端を検知すると画像読取部１１０に画像形成用の画像データの読み取りを実行させる。より具体的には、制御部６０は以下の第１から第３のいずれか１つの原稿先端検知制御によって原稿先端が読取領域ＲＺに到達するタイミングを判断して画像形成用（原稿）の画像データとして記憶する。
【００３２】
第１の原稿先端検知制御では、制御部６０は、画像データにおける明度の変化を監視して、画像データの明度が白色の明度よりも低下するタイミングで原稿先端が読取領域ＲＺに到達していることを検知する。ここで、搬送ローラ１１２の周面を白色とすることで、読取領域ＲＺを原稿先端が白色以外の色の原稿が通過する際に原稿先端を検知しやすくしている。これにより、原稿先端の色調の明度が低い、例えば、グレー色や黒色の原稿の読み取りを精度良く行なうことができる。
【００３３】
第２の原稿先端検知制御では、制御部６０は、溝１１２Ｈに形成される原稿先端の影ＳＨを検知すると、影ＳＨを検知したタイミングを基準にして原稿先端の通過を検知する。これにより、溝１１２Ｈに写り込む原稿先端の影ＳＨを検知して原稿読取を行なうことができる。
【００３４】
第３の原稿先端検知制御では、制御部６０は、画像読取部１１０が読み取る画像データの所定周期の明暗の変化を監視し、明暗の変化が途絶するタイミングを基にして原稿先端の読取領域ＲＺの通過を検知する。これにより、溝１１２Ｈに写り込む原稿先端の影ＳＨが薄く第２の原稿先端検知制御で検知できない場合であっても原稿先端の通過を精度良く検知して原稿読取を制度良く行なうことができる。
【００３５】
ここで、図６、７を用いて、第３の原稿先端検知制御に用いる画像データに含まれる所定周期の明暗の変化について説明する。
【００３６】
図６（Ａ）〜（Ｃ）は、Ａ‐Ａ断面における搬送ローラ１１２の回転方向Ｒへの回転に伴う読取領域ＲＺにおける明暗の変化を順に示す図である。
【００３７】
搬送ローラ１１２は、搬送経路Ｑに沿う回転方向Ｒに一定の回転速度で回転している。各突出部１１２Ｂは、同軸上で径方向に互いに成す角が４５°となる周部にそれぞれ設けられている。
【００３８】
図６（Ａ）に示すように、読取領域ＲＺに対向する位置に突出部１１２Ｂが面しているときには、読取領域ＲＺに面する突出部１１２Ｂからの反射光によって読取領域ＲＺは明度が高い（明るい）状態に維持される。
【００３９】
図６（Ｂ）に示すように、搬送ローラ１１２が回転方向Ｒに沿って回転し突出部１１２Ｂが読取領域ＲＺに面する位置からわずかに回転方向Ｒの下流側まで回転しても、突出部１１２Ｂの径方向の側面と窪み１１２Ａ表面で照射部１１１Ａの照射光は反射される。このため、読取領域ＲＺは明度が高い（明るい）状態に維持される。
【００４０】
図６（Ｃ）に示すように、搬送ローラ１１２が回転方向Ｒに沿って回転し、突出部１１２Ｂが読取領域ＲＺよりもわずかに後方、すなわち回転方向Ｒの直上流側の位置まで回転すると照射部１１１Ａの照射光が突出部１１２Ｂに遮られ影ＳＨが窪み１１２Ａに形成される。このため、読取領域ＲＺは明度が低い（暗い）状態に維持される。
【００４１】
これにより、原稿が読取領域ＲＺを通過していないときには、受光部１１１Ｂが受光する読取領域ＲＺの画像データに搬送ローラ１１２の回転速度に比例する周期で明暗の変化を発生させることができる。
【００４２】
図７（Ａ）は、読取領域ＲＺを原稿が通過していないときの画像読取部１１０が読み取る画像データの明暗の変化の周期を示す図である。図７（Ｂ）は、読取領域ＲＺを原稿が通過するときの画像データの明暗の変化の状態を示す図である。
【００４３】
図７（Ａ）に示すように、読取領域ＲＺを原稿が通過していない場合には、明度が高い明るい状態（Ｔ１時間）と明度の低い暗い状態（Ｔ２時間）とが繰り返され所定周期の明暗の変化が画像データに現れる。
【００４４】
図７（B）に示すように、読取領域ＲＺを原稿が通過する場合には、少なくとも原稿が読取領域ＲＺを通過するタイミングで原稿によって照射部１１１Ａの照射光が反射され受光部１１１Ｂの受光する画像データの明度は高い状態になる。このため、原稿が通過していなければ明度が低くなるタイミングＰＶ以降の時間帯の明度は、原稿の後端が通過するまでの間高い状態に維持され画像データに現れていた所定周期の明暗の変化が途絶する。
【００４５】
図８は、制御部６０における原稿読取動作制御の流れを示すフローチャートである。
【００４６】
制御部６０は、操作部１０Ａから原稿読取の指示を受け付けると、原稿搬送ローラ１２３を回転駆動し画像読取部１１０へ原稿を１枚ずつ繰り出させる（Ｓ１）。
【００４７】
制御部６０は、画像読取部１１０が読み取った画像データを介して搬送ローラ１１２の白色を呈する周面の明度を監視し、画像読取部１１０が読み取った画像データの明度が所定の第１閾値よりも低下しているか否かを監視する（Ｓ２）。制御部６０は、画像読取部１１０が読み取った画像データの明度が所定の第１閾値よりも低下している場合には、画像形成用の画像データとして画像データの記憶を開始する。制御部６０は、画像データの記憶を開始してから原稿が読取領域ＲＺを通過するのに要する時間を基に設定される時間が経過するまでの間に画像読取部１１０が読み取る画像データを画像形成用の画像データとして記憶する（Ｓ７）。
【００４８】
ここで、所定の第１閾値は、白色よりも明度が低い値に設定されている。これにより、白色以外の色調の原稿先端の通過を検知し、原稿読取を行なうことができる。
【００４９】
なお、ステップＳ７の処理に代えて、制御部６０は画像データの明度が第１閾値よりも低下すると、低下したタイミングから予め設定した時間だけ遡ったタイミングまでの画像データを記憶部６０Ａからさらに読み出し画像形成用の画像データとして記憶するものとしても良い。これにより、原稿先端部分の画像データが途切れるのをより確実に防止することができる。
【００５０】
制御部６０は、ステップＳ２で画像読取部１１０が読み取った画像データの明度が所定の第１閾値よりも低下していない場合には、溝１１２Ｈの周面の明度が所定の第２閾値よりも低下しているか否かを監視する（Ｓ３）。ここで、所定の第２閾値は、原稿先端が読取領域ＲＺの直上流側まで接近したときに読取領域ＲＺに面する位置の溝１１２Ｈに写り込む原稿先端の影ＳＨを検知できる値に設定される。これにより、制御部６０は、搬送ローラ１１２に挟み込まれた原稿先端の影ＳＨが読取領域ＲＺに面する溝１１２Ｈに写り込むと原稿先端が読取領域ＲＺの直上流側に到達していることを検知することができる。
【００５１】
制御部６０は、ステップＳ３で原稿先端の影ＳＨを検知したタイミングを基準に、原稿先端の影ＳＨを検知してから原稿先端が読取領域ＲＺに到達するのに要する時間が経過してからイメージセンサ１１１の読み取る画像データの記憶を開始する。制御部６０は、画像データの記憶を開始してから原稿が読取領域ＲＺを通過するのに要する時間を基に設定される時間が経過するまでの間に画像読取部１１０が読み取った画像データを画像形成用の画像データとして記憶する（Ｓ５）。
【００５２】
制御部６０は、ステップＳ３で原稿先端の影ＳＨを検知していない場合には、画像読取部１１０が読み取った画像データの所定周期の明暗の変化を監視し、明暗の変化が途絶するタイミングで原稿先端が読取領域ＲＺに到達していると判断する（Ｓ４）。制御部６０は、上記明暗の変化が途絶するタイミングから所定時間長さだけ遡った時間分の画像データを記憶部６０Ａから読み出して画像形成用の画像データとして記憶する。さらに、制御部６０は、原稿が読取領域ＲＺを通過するのに要する時間を基に設定される時間が経過するまでの間に画像読取部１１０が読み取った画像データを画像形成用の画像データとして記憶する（Ｓ６）。
【００５３】
ここで、所定時間長さは、上記明度が高い明るい状態の時間（Ｔ１時間）を基準として、Ｔ1時間以下の時間に設定される。これにより、途絶したタイミングよりも早いタイミングで読取領域ＲＺを通過した原稿先端部分も途切れることなく読み取ることができる。また、ステップＳ３において、原稿が薄く原稿先端の影ＳＨを制御部６０が検知できなかった場合でも原稿の通過を検知して原稿の読み取りを行なうことができる。
【００５４】
なお、ステップＳ４の処理に代えて、例えば、原稿先端の画像データが不要である場合に、上記ステップＳ６において明暗の変化が途絶するタイミングからのみ画像データを画像形成用の画像データとして記憶するものとしても良い。
【００５５】
上記実施形態では、窪み１１２Ａは搬送ローラ１１２の周方向に等間隔に８つ設けられている例を挙げて説明しているが、例えば、窪み１１２Ａは周方向にさらに多く設けても良い。この場合には、仮に、搬送ローラ１１２の回転速度が同じであれば、明暗の変化の所定周期をより短時間とすることができるので、原稿先端の通過検知をより精度良く行なうことができる。一方、窪み１１２Ａの数をより少ないものとしても良い。この場合には、ステップＳ６において、制御部６０が明暗の変化が途絶するタイミングから遡って読み出す所定時間長さをより長くすることで上記実施形態に係る画像読取部１１０と同様の効果を得ることができる。
【００５６】
上記実施形態では、搬送ローラ１１２の長手方向中央に窪み１１２Ａが設けられている例を挙げて説明しているが、照射部１１１Ａの照射光が照射される位置であれば、搬送ローラ１１２の長手方向中央以外の周部に窪み１１２Ａを設けるものとしても良い。
【００５７】
上記実施形態では、搬送ローラ１１２において、溝１１２Ｈは窪み１１２Ａの軸方向の左右両隣に隣接して設けられている例を挙げて説明しているが、窪み１１２Ａの軸方向の左右いずれか一方にだけ溝１１２Ｈを設けるものとしても良い。
【００５８】
上記実施形態では、搬送ローラ１１２において、溝１１２Ｈは窪み１１２Ａに隣接して設けられている例を挙げて説明しているが、搬送ローラ１１２において、窪み１１２Ａと溝１１２Ｈは軸方向に離間した位置にそれぞれ設けるものとしても良い。この場合にも上記実施形態に係る画像読取部１１０と同様の効果を得ることができる。
【００５９】
上記実施形態では、搬送ローラ１１２の周部に窪み１１２Ａと溝１１２Ｈがそれぞれ設けられている例を挙げて説明しているが、搬送ローラ１１２に窪み１１２Ａを設けて溝１１２Ｈは設けないものとしても良い。この場合にも上記実施形態に係る画像読取部１１０と同様の効果を得ることができる。
【００６０】
上記実施形態では、搬送ローラ１１２の表面が白色を呈している例を挙げて説明しているが、制御部６０がステップＳ２の処理を行なわない場合には搬送ローラ１１２周面の色を白色以外の明度の高い色としても良い。但し、影ＳＨを精度良く検知するためには搬送ローラ１１２の周面の色は白色とすることがより好ましい。
【００６１】
上記実施形態では、ステップＳ２、Ｓ３の処理のいずれによっても原稿先端が検知されていない場合に、ステップＳ４の処理を制御部６０が実行する例を挙げて説明しているが、制御部６０は少なくともステップＳ４の処理のみ実行するものとしても良い。この場合にも上記実施形態に係る画像読取部１１０と同様の効果を得ることができる。
【００６２】
なお、ステップＳ５〜７の処理において、制御部６０は、原稿が読取領域ＲＺを通過するのに要する時間を基に設定される時間だけ画像形成用の画像データとして記憶する代わりに、所定周期の明暗の変化が再開するタイミングまで画像形成用の画像データとして記憶するものとしても良い。また、例えば、原稿の通過を検知する検知センサを別途設け原稿の通過を検知するものとしても良い。
【００６３】
上記実施形態では、ファクシミリ装置１００に備えられている画像読取部１１０を例に挙げて説明しているが、複写機や他の画像形成装置に備えられた画像読取部に本発明を適用するものとしても良い。
【００６４】
上記実施形態では、画像読取部１１０は、一体に成形された搬送ローラ１１２を備えている例を挙げて説明した。しかし、本発明は、これに限定されるものではない。例えば、同一の形状を呈する２つの搬送ローラと、２つの搬送ローラを軸方向に接合するジョイントユニットから成る搬送ローラ２１２を搬送ローラ１１２の代わりに用いるものとしても良い。この場合にも上記実施形態に係る画像形成部１１０と同様の効果を得ることができる。以下、搬送ローラ２１２について搬送ローラ１１２と異なる部分について説明する。
【００６５】
図９は、搬送ローラ２１２の全体構成を示す斜視図である。図１０は、搬送ローラ２１２の全体構成を示す正面図である。図１１（Ａ）は、ＡＡ-ＡＡ断面における断面構成を示す図である。図１１（Ｂ）は、ＢＢ-ＢＢ断面における断面構成を示す図である。図１１（Ｃ）は、ＣＣ-ＣＣ断面における断面構成を示す図である。
【００６６】
搬送ローラ２１２は、搬送ローラ２１０、搬送ローラ２１１、ジョイントユニット２０９から成り、狭窄部２１０Ａ、ジョイントユニット２０９、狭窄部２１１Ａによって溝が形成されている。ここで、狭窄部２１０Ａ、ジョイントユニット２０９、狭窄部２１１Ａは、軸方向に隣接し３列から成り、周方向に一定間隔で形成された窪みに相当する。
【００６７】
搬送ローラ２１０のジョイントユニット２０９側の軸端は、狭窄部２１０Ａが設けられ、狭窄部２１０Ａの周部には周方向に突出部２１０Ｘ、２１０Ｙ、２１０Ｚが形成されている。突出部２１０Ｘおよび突出部２１０Ｙが搬送ローラ２１０の径方向に互いに成す角は１３５°であり、突出部２１０Ｘおよび突出部２１０Ｚが搬送ローラ２１０の径方向に互いに成す角も１３５°である。突出部２１０Ｙおよび突出部２１０Ｚが搬送ローラ２１０の径方向に互いに成す角は９０°である。狭窄部２１０Ａの軸中心には軸端側に開口を成す嵌合部２１０Ｃが設けられている。
【００６８】
搬送ローラ２１１は、搬送ローラ２１０と同一の形状を呈しており、搬送ローラ２１１のジョイントユニット２０９側の軸端には狭窄部２１１Ａが設けられている。狭窄部２１１Ａの周部には、狭窄部２１０Ａと同様に突出部２１１Ｘ、２１１Ｙ、２１１Ｚが形成されている。狭窄部２１１Ａのジョイントユニット２０９側の軸端には、狭窄部２１０Ａと同様に嵌合部２１１Ｃが設けられている。
【００６９】
ジョイントユニット２０９は、周面の外径が搬送ローラ２１０、２１１の外径よりも小さく形成されている。ジョイントユニット２０９の周面には、径方向に突出する突出部２０９Ｔ、２０９Ｕ、２０９Ｖ、２０９Ｗが周方向に沿って順に設けられている。突出部２０９Ｔ、２０９Ｕ、２０９Ｖ、２０９Ｗは、径方向に互いに成す角が９０°となる位置にそれぞれ設けられている。また、ジョイントユニット２０９は、軸方向の両端に直方体状に形成された突出部２０９Ａ、２０９Ｂがそれぞれ設けられている。
【００７０】
ジョイントユニット２０９は、突出部２１０Ｘおよび突出部２０９Ｔの径方向の位置が一致する位置で突出部２０９Ａを嵌合部２１０Ｃに嵌入されている。一方、ジョイントユニット２０９は、突出部２１１Ｘおよび突出部２０９Ｖの径方向の位置が一致する位置で突出部２０９Ｂを嵌合部２１１Ｃに嵌入されている。
【００７１】
各突出部２１０Ｘ〜２１０Ｚ、２０９Ｔ〜２０９Ｗ、２１１Ｘ〜２１１Ｚは、径方向に搬送ローラ２１２の周面よりもわずかに突出して形成されている。
【００７２】
狭窄部２１０Ａ、ジョイントユニット２０９、狭窄部２１１Ａによって形成される溝には、周方向に一定の間隔で各突出部２１０Ｘ〜２１０Ｚ、２０９Ｔ〜２０９Ｗ、２１１Ｘ〜２１１Ｚが配設される。このため、搬送ローラ２１２が回転するときに、読取領域ＲＺでイメージセンサ１１１が読み取る画像データに所定周期の明暗の変化を発生させることができる。また、狭窄部２１０Ａ、ジョイントユニット２０９、狭窄部２１１Ａによって形成される溝では、溝幅の一部にだけ各突出部２１０Ｘ〜２１０Ｚ、２０９Ｔ〜２０９Ｗ、２１１Ｘ〜２１１Ｚを設け窪み部分を上記各突出部に隣接させている。これにより、制御部６０は溝１１２Ｈと同様にして原稿先端の影ＳＨの検知も行なうことができる。
【００７３】
このように、搬送ローラ２１０、ジョイントユニット２０９、搬送ローラ２１１から成る搬送ローラ２１２を用いることで搬送ローラを一体に成形する場合と比較して製造コストを低減する効果も得ることができる。
【００７４】
図２、図５、図６、図１１は、上記実施形態について説明する模式図であり、切断面の断面表記については適宜省略して示している。
【００７５】
なお、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図されている。
【図面の簡単な説明】
【００７６】
【図１】この発明の一実施形態に係るファクシミリ装置の外観図である。
【図２】ファクシミリ装置の側面視における内部構成を示す断面図である。
【図３】搬送ローラの構成を示す正面図である。
【図４】（Ａ）搬送ローラのＡ‐Ａ断面における断面図である。（Ｂ）搬送ローラのＢ-Ｂ断面における断面図である。
【図５】制御ブロックを一部に含む画像読取部の構成を示す模式図である。
【図６】（Ａ）〜（Ｃ）は、Ａ-Ａ断面における搬送ローラの回転方向への回転に伴う読取領域に面する搬送ローラ周面の明暗の変化を示す図である。
【図７】（Ａ）は、読取領域を原稿が通過していないときの画像読取部が読み取る画像データの明暗の変化の周期を示す図である。（Ｂ）は、読取領域を原稿が通過するときの画像データの明暗の変化の状態を示す図である。
【図８】制御部における原稿読取動作制御の流れを示すフローチャートである。
【図９】搬送ローラの全体構成を示す斜視図である。
【図１０】搬送ローラの全体構成を示す正面図である。
【図１１】（Ａ）は、ＡＡ-ＡＡ断面における断面構成を示す図である。（Ｂ）は、ＢＢ-ＢＢ断面における断面構成を示す図である。（Ｃ）は、ＣＣ-ＣＣ断面における断面構成を示す図である。
【符号の説明】
【００７７】
６０      制御部
１００    ファクシミリ装置（画像形成装置）
１１０    画像読取部（原稿読取装置）
１１１    イメージセンサ（読取手段）
１１１Ａ  照射部
１１１Ｂ  受光部
１１２    搬送ローラ
ＳＨ      影
【図１】
2010050671.tif 000003
【図２】
2010050671.tif 000004
【図３】
2010050671.tif 000005
【図４】
2010050671.tif 000006
【図５】
2010050671.tif 000007
【図６】
2010050671.tif 000008
【図７】
2010050671.tif 000009
【図８】
2010050671.tif 000010
【図９】
2010050671.tif 000011
【図１０】
2010050671.tif 000012
【図１１】
2010050671.tif 000013